(57)【要約】【課題】本発明は、家具等の脚の周りに付着した塵等を効率的に吸い込むことができる掃除機用ノズル及び掃除機の提供を目的とするものである。【解決手段】本発明は、掃除機の吸込管の先端に着脱可能に取付けられる掃除機用ノズルであって、下面に吸引口の設けられた吸引室を内部に有するノズル本体、上記吸込管に着脱可能に取付けられる接続管、及び上記ノズル本体の吸引室と接続管とを連通する連通管を備え、上記ノズル本体が、中央部が後方に湾出する湾曲形状の前壁と、この前壁に対向し中央部が後方に湾出する後壁とを有し、上記連通管が、上記後壁に湾曲方向に沿って摺動可能に取付けられていることを特徴とする。【選択図】図１
2014054324.tif 000002
【特許請求の範囲】
【請求項１】
掃除機の吸込管の先端に着脱可能に取付けられる掃除機用ノズルであって、
下面に吸引口の設けられた吸引室を内部に有するノズル本体、
上記吸込管に着脱可能に取付けられる接続管、及び
上記ノズル本体の吸引室と接続管とを連通する連通管を備え、
上記ノズル本体が、中央部が後方に湾出する湾曲形状の前壁と、この前壁に対向し中央部が後方に湾出する後壁とを有し、
上記連通管が、上記後壁に湾曲方向に沿って摺動可能に取付けられていることを特徴とする掃除機用ノズル。
【請求項２】
上記後壁に、湾曲方向に沿って貫通溝が形成され、
上記連通管が、上記後壁の貫通溝に沿って摺動可能に設けられ、
上記ノズル本体が、上記貫通溝の連通管の存在しない部分を閉塞する弾性部材を有している請求項１に記載の掃除機用ノズル。
【請求項３】
上記前壁が、湾曲形状の曲率半径を変更するよう変形可能に設けられている請求項１又は２に記載の掃除機用ノズル。
【請求項４】
上記前壁が、平板状に変形可能に設けられている請求項１、請求項２又は請求項３に記載の掃除機用ノズル。
【請求項５】
上記前壁が、弾性変形可能に設けられている請求項１から請求項４のいずれか１項に記載の掃除機用ノズル。
【請求項６】
請求項１から請求項５のいずれか１項に記載の掃除機用ノズルを備える掃除機。
【発明の詳細な説明】
【技術分野】
【０００１】
本発明は、掃除機用ノズル及び掃除機に関する。
【背景技術】
【０００２】
従来から、掃除機には吸込管の先端には掃除機用ノズルが着脱可能に取付けられる。この掃除機用ノズルは、フローリング、畳、絨毯等の床面の種類や、隙間用、布団用等の目的等、それぞれに対応する種々の掃除機用ノズルが開発されている。
【０００３】
このような掃除機用ノズルとしては、脚付き家具の脚の周りに付着した塵を吸引するための掃除機用ノズルも公知である（特開２０１０−８２２３７号公報）。この掃除機用ノズルは、二股に突設した一対の吸引アームを有しており、この吸引アームが脚付き家具等の脚の下端部を挟み込み、吸引アームの吸引口が脚付き家具の脚の下端部に接近することにより、家具の脚の下端に付着した塵等を吸い込んでいる。
【０００４】
しかし、上記掃除機用ノズルは、二股に突設した一対の吸引アームが、家具の脚の下端部を挟み込むようにしても、家具の脚の後側に付着した塵等を吸い込むためには、吸引アームに接続している吸込み管を家具の脚の後側近くまで回り込ませる必要がある。つまり、使用者は、家具の脚の周囲に付着した塵等を全て吸い込むためには、掃除機のハンドル部分を大きく動かして、吸込管を家具の脚の後側近くまで回り込ませなければならない。そのため、家具の脚の周りを掃除するためのスペースを十分に確保できない場合、家具の脚の周囲全ての塵等を吸い込むために掃除機用ノズルを交換する必要がある。
【先行技術文献】
【特許文献】
【０００５】
【特許文献１】特開２０１０−８２２３７号公報
【発明の概要】
【発明が解決しようとする課題】
【０００６】
本発明は、上述のような事情に鑑みてなされたものであり、家具等の脚の周囲に付着した塵等を効率よく吸い込むことができる掃除機用ノズル及び掃除機の提供を目的とするものである。
【課題を解決するための手段】
【０００７】
上記課題を解決するためになされた本発明の掃除機用ノズルは、掃除機の吸込管の先端に着脱可能に取付けられる掃除機用ノズルであって、下面に吸引口の設けられた吸引室を内部に有するノズル本体、上記吸込管に着脱可能に取付けられる接続管、及び上記ノズル本体の吸引室と接続管とを連通する連通管を備え、上記ノズル本体が、中央部が後方に湾出する湾曲形状の前壁と、この前壁に対向し中央部が後方に湾出する後壁とを有し、上記連通管が、上記後壁に湾曲方向に沿って摺動可能に取付けられていることを特徴とする。
【０００８】
当該掃除機用ノズルにあっては、中央部が後方に湾出する湾曲形状の前壁を家具等の脚の外周に当接させることで、家具等の脚の周囲の塵等をノズル本体の下面の吸引口から吸引することができる。また、掃除機の吸込管と吸引室とに連通する連結管が、中央部が後方に湾出する後壁に湾曲方向に沿って摺動可能に取り付けられているため、この連結管を摺動させることにより、掃除機のハンドル部分を大きく動かすことなく、湾曲形状の前壁であって摺動させた連結管から一番遠い部分を家具等の脚の後側に当接させることができる。これにより、家具等の脚の周囲の塵等を効率的に吸い込むことができる。
【０００９】
また、上記後壁に、湾曲方向に沿って貫通溝が形成され、上記連通管が、上記後壁の貫通溝に沿って摺動可能に設けられ、上記ノズル本体が、上記貫通溝の連通管の存在しない部分を閉塞する弾性部材を有していることが好ましい。後壁に貫通溝が形成され、ノズル本体が、貫通溝の連通管の存在しない部分を閉塞する弾性部材を有することにより、貫通溝から塵等を吸い込むための掃除機本体からの吸気が漏れることなくノズル本体の後壁の沿って連通管が摺動することが可能となる。
【００１０】
また、上記前壁が、湾曲形状の曲率半径を変更するよう変形可能に設けられていることが好ましい。かかる構成により、ノズル本体の前壁の湾曲形状の角度を様々な家具等の脚の形状に合わせることができるため、様々な形状の家具等の外周にノズル本体の前壁を当接させることが容易にでき、効率的に家具等の脚の周囲の塵等を吸い込むことができる。
【００１１】
さらに、上記前壁が、平板状に変形可能に設けられていることが好ましい。ノズル本体の前壁が、平板状に変形することにより、家具等の脚周り用としての用途に限定されることなく、通常の掃除機用ノズルとして使用することができる。
【００１２】
また、当該掃除機用ノズルにあっては、上記前壁が、弾性変形可能に設けられていることが好ましい。上記ノズル本体の前壁が、弾性変形することで、家具等の脚の外周にノズル本体の前壁を隙間なく当接させることができる。これにより、家具等の脚の周囲の塵等を確実に吸い込むことができる。
【００１３】
さらに本発明の掃除機は、上述の掃除機用ノズルを備える。当該掃除機にあっては、当該掃除機の掃除機用ノズルの湾曲形状の前壁を家具等の脚の外周に当接させることで、家具等の脚の周囲の塵等をノズル本体の下面の吸引口から吸引することができる。また、掃除機の吸込管と吸引室とに連通する連結管が、中央部が後方に湾出する後壁に湾曲方向に沿って摺動可能に取り付けられているため、この連結管を摺動させることにより、掃除機のハンドル部分を大きく動かすことなく、湾曲形状の前壁であって摺動させた連結管から一番遠い部分を家具等の脚の後側に当接させることができる。これにより、家具等の脚の周囲の塵等を効率的に吸い込むことができる。
【００１４】
なお、上記説明において、「中央部が後方に湾出する」とは、平面視上における中央部が前壁側に対する後壁側に湾出することを意味する。
【発明の効果】
【００１５】
以上説明したように、本発明の掃除機用ノズル及び掃除機は、家具等の脚の周りに付着した塵等を効率的に吸い込むことができる。
【図面の簡単な説明】
【００１６】
【図１】本発明の一実施形態に係る掃除機を示す概略的斜視図である。
【図２】図１の掃除機の掃除機用ノズルを示す概略的斜視図である。
【図３】図２の掃除機用ノズルの形状が変化した状態を示す概略的斜視図である。
【図４】図２の掃除機用ノズルのノズル本体の後壁の連通管が当接する面の模式的端面図である。
【図５】図２の掃除機用ノズルのノズル本体の後壁の端面図であって、（ａ）は図５のＡ−Ａ線矢視端面図（模式的端面図）であり、（ｂ）は図５のＢ−Ｂ線矢視端面図（模式的端面図）である。
【図６】図２の掃除機用ノズルの連結管が摺動して異なる位置にある状態を示す概略平面図であり、（ａ）は連結部が、平面視上、ノズル本体の後壁の中央に位置した状態を示す図であり、（ｂ）は連結部が、平面視上、ノズル本体の後壁の端部側に位置した状態を示す図である。
【発明を実施するための形態】
【００１７】
以下、適宜図面を参照しつつ本発明の実施の形態を説明する。
【００１８】
＜掃除機１＞
当該掃除機１は、図１に示すように、掃除機用ノズル２、掃除機本体３、吸込ホース４、ハンドル管５及び延長管６を備える。
【００１９】
掃除機本体３は、吸込ホース４と連結する。この吸込ホース４は、掃除機本体３と連結している反対側においてハンドル管５と連結しており、吸込みホース４はハンドル管５を介し延長管６と連結する。そして、延長管６は、ハンドル管５と連結している反対側において掃除機用ノズル２と連結する。
【００２０】
掃除機本体３は、電動送風機、集塵室を有する（図示省略）。掃除機本体３は、電動送風機の運転により、塵等を掃除機用ノズル２から吸込み、延長管６、ハンドル管５及び吸込ホース４を介し集塵室に送り込まれる。また、掃除機本体３は、車輪部を有し、掃除する床面等を自在に移動可能なように構成される。さらに、掃除機本体３は、ＡＣプラグを有し（図示省力）、電源からの電力が供給される。
【００２１】
吸込ホース４は、掃除機本体３の一端部に着脱可能に挿入して連結する。また、吸込ホース４は、掃除機本体３と接続する電源線及び信号線が配設されており、これらの電源線及び信号線は、後述するハンドル管５のハンドルの操作部と接続する。
【００２２】
ハンドル管５は、吸込ホース４の端部と連結しており、掃除機用ノズル２を移動させるために使用者により把持されるハンドルを有する。また、ハンドルには、操作部が設けられており（図示省略）、使用者が操作部に対して操作することにより、掃除機１が作動する。なお、ハンドル管５は、掃除機の吸込管として、直接掃除機用ノズル２と連結することができる。
【００２３】
延長管６は、伸縮可能に形成され、ハンドル管５の端部に挿入可能に連結される。また、延長管６は、ハンドル管５と連結している反対側の端部に、掃除機の吸込管として掃除機用ノズル２と連結する。
【００２４】
＜掃除機用ノズル２＞
掃除機用ノズル２は、図２に示すように、ノズル本体１１、接続管１２及び連結管１３を備える。
【００２５】
ノズル本体１１は、中央部が後方に湾出する湾曲形状の前壁１１ｂと、この前壁に対向し中央部が後方に湾出する後壁１１ａとを有する。この後壁１１ａの両端部は、前壁１１ｂの両端部とそれぞれ接しており、ノズル本体１１は、平面視上、略三日月の形状に形成される。
【００２６】
また、ノズル本体１１は、後壁１１ａに形成される貫通溝１１ｃを有する。
【００２７】
貫通溝１１ｃは、後壁１１ａの縦方向において中央部分に、横方向において後壁１１ａの両端部と中央部とのそれぞれの中間部同士を結んだ部分に帯状に形成される。
【００２８】
さらに、ノズル本体１１は、ノズル本体１１の下面に吸引口を備える吸引室を有する（図示省略）。上記吸引口の形状は、特に限定されず、ノズル本体１１の略三日月形状と同形状に形成されてもよく、矩形状に形成されてもよい。吸引室は、後壁１１ａと前壁１１ｂとにより区画され、ノズル本体１１の内部に形成される。従って、吸引室の後壁１１ａ側は、ノズル本体１１の貫通溝１１ｃが形成されていることとなり、吸引室は、ノズル本体１１の貫通溝１１ｃを介し連結管１３と連通する。
【００２９】
また、ノズル本体１１は、ノズル本体１１の上面にレバー１１ｄを有する。レバー１１ｄは、ノズル本体の後壁１１ａ側と前壁１１ｂ側との間を移動するように形成され、段階的に位置させることができる。
【００３０】
レバー１１ｄは、ノズル本体１１の前壁１１ｂと連動するよう形成される。これにより、ノズル本体１１の前壁１１ｂの湾曲形状の曲がり角度を調整することができ、ノズル本体１１の前壁１１ｂの湾曲形状の曲率半径を変更することができる。具体的には、レバー１１ｄとノズル本体１１の前壁１１ｂとは、特に限定されないが、例えばワイヤーやスプリング等の係止具を介してノズル本体１１の内部で連結される。これにより、レバー１１ｄを移動させることによって、係止具を介しノズル本体１１の前壁１１ｂが連動して前壁１１ｂの湾曲形状の曲がり角度が変化する。
【００３１】
また、ノズル本体１１の前壁１１ｂは、弾性部材により形成される。具体的には、特に限定されないが、ウレタンゴム、スチレン・ブタジエンゴム、フッ素ゴム等の弾性ゴムを用いることができる。
【００３２】
レバー１１ｄが、図２に示すように、ノズル本体１１の後壁１１ａ側に位置するときは、弾性部材が、係止具を介し連結するレバー１１ｄによってノズル本体１１の後壁１１ａ側に引っ張られる。そして、ノズル本体１１の後壁１１ａと接する弾性部材部分（ノズル本体１１の前壁の両端部分）は、ノズル本体１１の後壁１１ａの両端部分により支持されるため、ノズル本体１１の前壁１１ｂは、中央部が後方に湾出する湾曲形状となる。
【００３３】
また、レバー１１ｄをノズル本体１１の後壁１１ａ側からノズル本体１１の前壁側１１ｂ側に移動させると、ノズル本体１１の前壁１１ｂの弾性部材部分が延出する。そして、レバー１１をノズル本体１１の前壁１１ｂ側に最も位置した状態にすると、ノズル本体１１の前壁１１ｂの弾性部材部分の形状が、図３に示すように、略半月形状となる。
【００３４】
つまり、レバー１１ｄをノズル本体１１の後壁１１ａ側に位置した状態では、ノズル本体１１の前壁１１ｂが、ノズル本体１１の後壁１１ａ側に最も位置する（図２参照）。そして、レバー１１ｄをノズル本体１１の前壁１１ｂ側に移動させることにより、ノズル本体１１の前壁１１ｂの湾曲形状の曲がり角度が浅くなり、湾曲形状の曲率半径が変わる。さらに、レバー１１ｄを、ノズル本体１１の前壁１１ｂ側に最も位置させると、ノズル本体１１の前壁１１ｂは、平板状となる（図３参照）。なお、ノズル本体１１の前壁１１ｂの変形した形状は、特に限定されないが、係止具により支持されることによりその形状が維持されることができる。
【００３５】
また、ノズル本体１１の前壁１１ｂの湾曲形状の曲率半径の変化にあわせて、吸引室の吸引口の形状は変形可能に形成されることができる。例えば、吸引室の吸引口の面積が、ノズル本体１１の形状にあわせて拡張される構成を採用することができる。つまり、ノズル本体１１の前壁１１ｂが平板状となった状態では、吸引室の吸引口は、前壁の形状に合わせて略半月形状に形成されることができる。
【００３６】
接続管１２は、連結管１３に挿入され連通される。また、接続管１２は、延長管６と挿脱可能に連結し、掃除機本体３と接続する。
【００３７】
連結管１３は、図４に示すように、ノズル本体１１の後壁１１ａの貫通溝１１ｃに連結し、吸引室に連通される。これにより、ノズル本体１１の下面の吸入口から吸い込んだ塵等が連結管１３を介し掃除機本体３の集塵室に送り込まれる。
【００３８】
連結管１３は、ノズル本体１１の貫通溝１１ｃと連結する側の端部に凸状の係止部１３ａを有する（図５（ａ）参照）。この凸状の係止部１３ａがノズル本体１１の貫通溝１１ｃのノズル本体１１の内部側に係止されることにより貫通溝１１ｃから連結管１３が外れるのが防止される。
【００３９】
また、連結管１３は、ノズル本体１１の後壁１１ａに沿って摺動可能に取付けられている。連結管１３は、ノズル本体１１の貫通溝１１ｃの一の箇所に連結され、この連結箇所が摺動することにより、連結管１３が、ノズル本体１１の貫通溝１１ｃに沿って摺動する。
【００４０】
ノズル本体１１の貫通溝１１ｃは、貫通溝１１ｃの周囲が弾性部材１１ｅにより形成され（図５（ｂ）参照）、連結管１３を挟持するように形成される（図５（ａ）参照）。弾性部材１１ｅは、特に限定されないが、ウレタンゴム、スチレン・ブタジエンゴム、フッ素ゴム等の弾性ゴム等を用いることができる。これにより、ノズル本体１１の貫通溝１１ｃの所望の箇所に連結管１３を固定することができ、かつ連結管１３を左右にずらすことにより、ノズル本体１１の貫通溝１１ｃを摺動させることができる。
【００４１】
また、ノズル本体１１の貫通溝１１ｃのノズル本体１１内部側に横方向にスライドするスライド板が、連結管１３の左右にそれぞれ形成されることができる（図示省略）。これらスライド板は、連結管１３と接合されており、連結管１３がノズル本体１１の貫通溝１１ｃに沿って摺動する際に、このスライド板も連結管１３にあわせてノズル本体１１の貫通溝１１ｃの隙間を覆うようにスライドする。このスライド板が、連結管１３と接合され、また連結管１３の摺動にあわせてスライドすることにより、塵等を吸い込むための掃除機本体３からの吸気がノズル本体１１の貫通溝１１ｃから漏れるのを防ぐことができる。
【００４２】
なお、ノズル本体１１の貫通溝１１ｃのスライド板と連結管１３との接合部分においては、この接合部分から吸気が漏れるのを防ぐために、シール等により隙間を遮蔽してもよい。
【００４３】
上述のようにノズル本体１１の貫通溝１１ｃと連結管１３とが連結することにより、連結管１３は、ノズル本体１１の後壁１１ａを摺動することができる。これにより、図６（ａ）に示すように、連結管１３がノズル本体１１の後壁１１ａの平面視上中央部分の位置から、図６（ｂ）に示すように、連結管１３が、ノズル本体１１の後壁１１ａの平面視上の中央より一の端部側に連結管１３を移動させることにより、ノズル本体１１の湾曲形状の前壁１１ｂであって連結管３が位置する箇所から遠い方の端部を連結管１３から遠い箇所に位置させることができる。
【００４４】
＜利点＞
当該掃除機１の掃除機用ノズル２においては、ノズル本体１１の前壁１１ｂの中央部が後方に湾出する湾曲形状であるため、家具等の脚の外周にノズル本体１１の前壁１１ｂを当接させることができる。これにより、家具等の脚の周囲の塵等をノズル本体１１の下面の吸引口より吸引することができる。また、掃除機器の吸込管と連通する連結管１３が、ノズル本体１１の後壁１１ａに形成され吸引室と連通する貫通溝１１ｃに連結し、ノズル本体１１の後壁１１ａの横方向に帯状に形成される貫通溝１１ｃを摺動するため、ハンドル管５部分を大きく動かすことなく、ノズル本体１１の湾曲形状の前壁１１ｂであって連結管１３から一番遠い部分が、家具等の脚の後側に当接しやすくなる。これにより、家具等の脚の周囲の塵等を効率的に吸い込むことができる。
【００４５】
また、当該掃除機１の掃除機用ノズル２にあっては、ノズル本体１１のレバー１１ｄを操作することにより、ノズル本体１１の前壁１１ｂの湾曲形状の角度を変更することができるため、様々な家具等の脚の形状に合わせてノズル本体１１の前壁１１ｂの湾曲形状の角度を調整することができる。これにより、様々な家具等の脚の形状においても、脚の周囲の塵等を効率的に吸い込むことができる。
【００４６】
さらに、ノズル本体１１のレバー１１ｄを最もノズル本体１１の前壁１１ｂ側に位置させることにより、ノズル本体１１の前壁１１ｂが平板状の形状となるため、通常の掃除機用ノズルの形状となり、通常の掃除機用ノズルとして当該掃除機用ノズル２を使用することができる。
【００４７】
また、当該掃除機１の掃除機用ノズル２にあっては、ノズル本体１１の前壁１１ｂは、弾性部材により形成されるため、家具等の脚の外周にノズル本体１１の前壁１１ｂを隙間なく当接させることができる。このため、家具等の脚の周囲の塵等を確実に吸い込むことができる。
【００４８】
＜その他の実施形態＞
本実施形態は上記構成からなり、上述の利点を奏するものであったが、本発明は上記実施形態に限定されるものではなく、本発明の意図する範囲内において適宜設計変更可能である。
【００４９】
上記実施形態では、掃除機用ノズル２のノズル本体１１の湾曲形状の後壁１１ａの両端部と、前壁１１ｂの両端部とがそれぞれ接しており、ノズル本体１１は、平面視上、略三日月の形状に形成されることを説明したが、本発明はこれに限定されるものではない。例えば後壁の両端部と前壁の両端部とはそれぞれ直接には接せず、ノズル本体の形状が、平面視上、アーチ状の掃除機用ノズルも採用可能である。
【００５０】
また、上記実施形態では、当該掃除機１の掃除機用ノズル２はノズル本体１１の上面にレバー１１ｄを有することを説明したが、ノズル本体１１の前壁１１ｂの湾曲形状の角度を調整するための機構は、レバー形状に限定されず、ボタン形状、ハンドル形状も採用可能である。
【００５１】
当該掃除機の掃除機用ノズルにあっては、ノズル本体の貫通溝が、連結管と略同形状の形状を採用することも可能である。かかる構成の場合は、ノズル本体の貫通溝と吸引室とが伸縮可能な管で連結され、ノズル本体の後壁に横方向に帯状の隙間が形成され、この隙間にノズル本体の貫通溝が可動可能に形成される。また、ノズル本体の後壁に形成される上記隙間に、一定間隔をおいてノズル本体の貫通溝を固定可能なストッパーが付設される構成を採用することにより、貫通溝と連結する連結管を摺動させることができ、所望の位置に貫通溝を固定することにより、連結管を固定させることができる。
【００５２】
また、上記実施形態では、当該掃除機１の掃除機用ノズル２のノズル本体１１の湾曲形状の前壁１１ｂは、弾性部材により形成され前壁１１ｂの湾曲形状の角度が切り替わる旨を説明したが、本発明はこれに限定されるものでない。例えば、ノズル本体の前壁は、平面視上スライドするスライド式の側壁も採用可能である。これにより、ノズル本体の前壁の湾曲形状の角度を変更することができる。
【００５３】
また、当該掃除機の掃除機本体、吸込ホース、ハンドル管及び延長管は、上記実施形態において説明したものに限定されず、公知な掃除機本体、吸込ホース、ハンドル管及び延長管を採用することができる。
【産業上の利用可能性】
【００５４】
以上のように、本発明の掃除機用ノズル及び掃除機は、家具等の脚の周囲の塵等を効率的に吸込むことができ、家庭内又は事業所内での掃除に好適に用いられる。
【符号の説明】
【００５５】
１  掃除機
２  掃除機用ノズル
３  掃除機本体
４  吸込ホース
５  ハンドル管
６  延長管
１１  ノズル本体
１１ａ  後壁
１１ｂ  前壁
１１ｃ  貫通溝
１１ｄ  レバー
１１ｅ  弾性部材
１２  接続管
１３  連結管
【図１】
2014054324.tif 000003
【図２】
2014054324.tif 000004
【図３】
2014054324.tif 000005
【図４】
2014054324.tif 000006
【図５】
2014054324.tif 000007
【図６】
2014054324.tif 000008